(57)【要約】      （修正有）【課題】従来のパッカーの上に中心管内の油汚れ揚水洗浄装置を追加することにより、管内の目詰まりを防止し、設備を長寿命化できる揚水吸油式石油パッカーを提供する。【解決手段】上継手１が底部の中心管７と連通し、ピン２が中心管の片側に設けられ、ピンの底部に調節環３が設けられ、第１のＯリング４が調節環の片側に設けられ、調節環の底部にゴム筒５が設けられ、受圧継手９の底部に第３のＯリング１０が設けられ、第３のＯリングの底部にセッティング・シヤーピン１１が設けられ、セッティング・シヤーピンの底部にキー１２が設けられ、キーの底部に下継手１３が設けられ、キーの一側に圧縮リング１４が設けられ、中心管が他の側のドローチューブ１６と連通し、ドローチューブ上に横向きにシールピン１９が挿通され、ドローチューブの内側にピストン１７が設けられ、ピストンとドローチューブ表面のシリンダー結合体１８とが固定連結され、ドローチューブの一端に揚水口１５が設けられる。【選択図】図１
0003226681.tif 000002
【実用新案登録請求の範囲】
【請求項１】
上継手（1）を含む揚水吸油式石油パッカーであって、前記上継手（1）は底部の中心管（7）と連通し、ピン（2）が中心管（7）の片側に設けられ、前記ピン（2）の底部に調節環（3）が設けられ、第1のOリング（4）が前記調節環（3）の片側に設けられ、前記調節環（3）の底部にゴム筒（5）が設けられ、前記ゴム筒（5）の底部にリテーナ（6）が設けられ、前記リテーナ（6）の底部に第2のOリング（8）が設けられ、前記第2のOリング（8）が設けられた一側に受圧継手（9）が設けられ、前記受圧継手（9）の底部に第3のOリング（10）が設けられ、前記第3のOリング（10）の底部にセッティング・シヤーピン（11）が設けられ、前記セッティング・シヤーピン（11）の底部にキー（12）が設けられ、前記キー（12）の底部に下継手（13）が設けられ、前記キー（12）の一側に圧縮リング（14）が設けられ、前記中心管（7）が他の側のドローチューブ（16）と連通し、前記ドローチューブ（16）上に横向きにシールピン（19）が挿通され、前記ドローチューブ（16）の内側にピストン（17）が設けられ、前記ピストン（17）とドローチューブ（16）表面のシリンダー結合体（18）とが固定連結され、前記ドローチューブ（16）の一端に揚水口（15）が設けられる、ことを特徴とする揚水吸油式石油パッカー。
【請求項２】
前記シリンダー結合体（18）はシリンダーの形状に適応するように設けられる、ことを特徴とする請求項1に記載の揚水吸油式石油パッカー。
【請求項３】
前記ピストン（17）とドローチューブ（16）の内壁はスライド自在に連結される、ことを特徴とする請求項1に記載の揚水吸油式石油パッカー。
【請求項４】
前記ピストン（17）はゴム材料で形成される、ことを特徴とする請求項1に記載の揚水吸油式石油パッカー。
【請求項５】
前記シールピン（19）は着脱可能プラグピンである、ことを特徴とする請求項1に記載の揚水吸油式石油パッカー。
【考案の詳細な説明】
【技術分野】
【０００１】
本考案はパッカーに関し、具体的には揚水吸油式石油パッカーに関する。本考案は石油機械技術分野に属する。
【背景技術】
【０００２】
石油採掘工程において、パッカーは層分離に用いられている。パッカーに採油通路が設けられ、セッティングする時、ピストンキャップが上行し、採油通路が開放状態になる。セッティングした後、上層圧力がバランスピストンに作用し、ゴム筒を上に向けて突き出し、これにより、せん断力の影響から開封ピンを保護することができる。解除時、ゴム筒とスリーブの摩擦力によって開封ピンがせん断されて、ピストンキャップが下行し、採油通路が閉鎖状態になる。これにより、油井パッカーの水塞施工工程を減少させ、スナビング及びノーオーペン・フロー作業が容易に実現でき、且つ両方向でも高圧に耐えることができ、使用寿命を延長させる。油田で常用されるカップパッカーは自封式であるため、そのカップの外径はスリーブの内径より大きく、カップとスリーブとオーバーマッチングすることによってパッカーの密封作用を発揮させ、油井に下ろす時に抵抗が大きくなり、且つカップは摩耗しやすく、損傷やすく、密封性が失われる。油層に対する認識の深化に伴い、より厚い油層まで掘削をすることが求められてきている。同時に、油井下で使用するパッカーに対しても、さらに高い要求が出されている。従来のパッカーは採油する時に、原油が中心管の管壁に付着し、目詰まりが生じ易く、フローが困難となる原因になる可能性がある。残念ながら、従来技術では上記の問題点は解決できない。
【考案の概要】
【考案が解決しようとする課題】
【０００３】
本考案は、採油する時に原油がパッカーの中心管の管壁に付着し、目詰まりが生じ易く、フローが困難となる問題を解決するために、揚水吸油式石油パッカーを提供することを目的とする。
本考案は、上記の技術的課題を解決するため、以下の技術手段を提供する。
【課題を解決するための手段】
【０００４】
本考案は上継手を含む揚水吸油式石油パッカーを提供する。前記上継手は底部の中心管と連通し、前記ピンが中心管の片側に設けられ、前記ピンの底部に調節環が設けられ、第1のOリングが前記調節環の片側に設けられ、前記調節環の底部にゴム筒が設けられ、前記ゴム筒の底部にリテーナが設けられ、前記リテーナの底部に第2のOリングが設けられ、前記第2のOリングが設けられた一側に受圧継手が設けられ、前記受圧継手の底部に第3のOリングが設けられ、前記第3のOリングの底部にセッティング・シヤーピンが設けられ、前記セッティング・シヤーピンの底部にキーが設けられ、前記キーの底部に下継手が設けられ、前記キーの一側に圧縮リングが設けられ、前記中心管が他の側のドローチューブと連通し、前記ドローチューブの上に横向きにシールピンが挿通され、前記ドローチューブの内側にピストンが設けられ、前記ピストンと前記ドローチューブ表面のシリンダー結合体とが固定連結され、前記ドローチューブの一端に揚水口が設けられる。
【０００５】
本考案の好ましい態様において、前記シリンダー結合体はシリンダーの形状に適応するように設けられる。
【０００６】
本考案の好ましい態様において、前記ピストンとドローチューブの内壁はスライド自在に連結される。
【０００７】
本考案の好ましい態様において、前記ピストンはゴム材料で形成される。
【０００８】
本考案の好ましい態様において、前記シールピンは着脱可能プラグピンである。
【考案の効果】
【０００９】
本考案の有益な効果は以下の通りである。この装置は揚水吸油式石油パッカーであり、従来のパッカーに中心管内の油汚れ揚水洗浄装置を追加することにより、管内の目詰まりを効果的に防止でき、設備の長寿命化に有効である。本考案は、設計が合理的であり、操作が簡単であり、従来のパッカーが、採油する時に原油が中心管の管壁に付着し、目詰まりが生じ易く、フローが困難となる欠点を解決することができる。
【図面の簡単な説明】
【００１０】
図面を参照して、この考案をよりよく理解する。その好適な実施形態に基づいて詳細に説明する例示であって、制限的なものと考えるべきではない。
【図１】本考案の構造模式図である。
【考案を実施するための形態】
【００１１】
以下、本考案実施例中の添付図面を参照しながら、本考案の好適な実施形態に基づいて詳細に説明する。説明内容は例示であって、制限的なものと考えるべきではない。
【００１２】
＜実施形態1＞
図1に示すように、本考案は揚水吸油式石油パッカーを提供する。上継手1が含まれている。上継手1は底部の中心管7と連通し、ピン2が中心管7の片側に設けられ、ピン2の底部に調節環3が設けられ、第1のOリング4が調節環3の片側に設けられ、調節環3の底部にゴム筒5が設けられ、ゴム筒5の底部にリテーナ6が設けられ、リテーナ6の底部に第2のOリング8が設けられ、第2のOリング8が設けられた一側に受圧継手9が設けられ、受圧継手9の底部に第3のOリング10が設けられ、第3のOリング10の底部にセッティング・シヤーピン11が設けられ、セッティング・シヤーピン11の底部にキー12が設けられ、キー12の底部に下継手13が設けられ、キー12の一側に圧縮リング14が設けられ、中心管7が他の側のドローチューブ16と連通し、ドローチューブ16上に横向きにシールピン19が挿通され、ドローチューブ16の内側にピストン17が設けられ、ピストン17とドローチューブ16表面のシリンダー結合体18とが固定連結され、ドローチューブ16の一端に揚水口15が設けられる。
【００１３】
シリンダーの伝動機構との連結を容易にするために、シリンダー結合体18はシリンダーの形状に適応するように設けられる。
【００１４】
ドローチューブ中のピストン運動を容易にするために、ピストン17とドローチューブ16の内壁はスライド自在に連結される。
【００１５】
ピストン17はゴム材料で形成され、筒径との摩擦力が増大する。
【００１６】
必要な時に、抜き出しを容易にするために、シールピンは着脱可能プラグピンである。
【００１７】
この装置は揚水吸油式石油パッカーであり、必要な場合に、セッティング時に必要な高さに従って管柱を設定することができる。受圧継手と上継手1が尾管に接するため、井底部を支点とし、セッティング・シヤーピン11がせん断され、上継手1、調節環3、中心管7とキー12が共に下行し、油管とスリーブの環状空間を封止する。解除時に、管柱を吊り上げてゴム筒を回収して元の状態に戻す。セッティングが完了した後、中心管7内に水を加えて、油と適宜混合してもよい。シールピン19を抜いてシリンダー結合体18がシリンダーの伝動機構と固定連結され、シリンダーはピストン17を連動してドローチューブ16内でピストン運動を行い、気圧によって中心管7内の水を内部で絶えず撹拌し、頑固な油汚れを洗い流してから中心管7を開いて汚れ水を排出する。
【００１８】
本装置は、揚水吸油式石油パッカーであり、従来のパッカーに、中心管内の油汚れ揚水洗浄装置を追加することにより、管内の目詰まりを効果的に防止でき、設備の長寿命化に有効である。本考案は設計が合理的であり、操作が簡単であり、従来のパッカーが、採油する時に、原油が中心管の管壁に付着し、目詰まりが生じ易く、フローが困難となる欠点を解決することができる。
【００１９】
なお、本考案は上記の実施の形態の例に限定されることなく、当業者であれば、実用新案登録請求の範囲に記載した考案の範囲内で、種々の変形が可能であり、それらも本考案の範囲内に含まれるものであることは言うまでもない。
【符号の説明】
【００２０】
1、上継手；2、ピン；3、調節環；4、第1のOリング；5、ゴム筒；6、リテーナ；7、中心管；8、第2のOリング；9、受圧継手；10、第3のOリング；11、セッティング・シヤーピン；12、キー；13、下継手；14、圧縮リング；15、揚水口；16、ドローチューブ；17、ピストン；18、シリンダー結合体；19、シールピン。
【図１】
0003226681.tif 000003